(57)【要約】【課題】  煩雑な作業を要することなく、画像と装飾する図柄とが一体的な合成画像となる装飾レイヤーを作成することができるテンプレートの作成方法を提供する。【解決手段】  画像を嵌め込む嵌込領域と、画像を装飾する装飾領域とで構成されて装飾レイヤーを少なくとも備えたテンプレートの作成方法であって、装飾レイヤーの基になる原レイヤーにおける装飾図柄の施された図柄領域内に少なくとも一つ以上の領域を指定することで、該領域から装飾図柄を抜き出して透明な前記嵌込領域を形成し、残存する図柄領域で前記装飾領域を形成して装飾レイヤーを作成すると共に、原レイヤーから抜き出した領域の情報に基づき、嵌込領域に対応し、且つ装飾レイヤーの装飾領域と連続性のある装飾図柄を有する隠蔽領域を形成した補助レイヤーを作成するようにした。【選択図】図２
2006107327.tif 000002
【特許請求の範囲】
【請求項１】
画像を嵌め込む嵌込領域と、前記画像を装飾する装飾領域とで構成された装飾レイヤーを少なくとも備えたテンプレートの作成方法であって、装飾レイヤーの基となる原レイヤーにおける装飾図柄の施された図柄領域内に少なくとも一つ以上の領域を指定することで、該領域から装飾図柄を抜き出して透明な前記嵌込領域を形成し、且つ残存する図柄領域で前記装飾領域を形成して装飾レイヤーを作成すると共に、前記原レイヤーに対して指定した領域の情報に基づいて、嵌込領域に対応し、且つ装飾レイヤーの装飾領域と連続性のある装飾図柄を有する隠蔽領域を形成した補助レイヤーを作成するようにしたことを特徴とするテンプレートの作成方法。
【請求項２】
装飾レイヤーと補助レイヤーとを重ね合わせ、装飾レイヤーと補助レイヤーとの間に前記画像を介装するようにした請求項１記載のテンプレートの作成方法。
【請求項３】
画像を嵌め込む嵌込領域と、前記画像を装飾する装飾領域とで構成された装飾レイヤーを少なくとも備えたテンプレートを作成可能に構成された画像処理装置において、装飾図柄の施された図柄領域を備えて装飾レイヤーの基となる原レイヤーが少なくとも一つ以上設定され、該原レイヤーにおける装飾図柄の施された図柄領域内に少なくとも一つ以上の領域を指定することで、該領域から装飾図柄が抜き出されて透明な前記嵌込領域が形成され、且つ残存する図柄領域で前記装飾領域が形成されて該原レイヤーで装飾レイヤーが作成されると共に、前記原レイヤーに対して指定した領域の情報に基づいて、前記嵌込領域に対応し、且つ装飾レイヤーの装飾領域と連続性を有する装飾図柄を有する隠蔽領域が形成された補助レイヤーが作成されるようにしたことを特徴とする画像処理装置。
【請求項４】
装飾レイヤーと補助レイヤーが重ね合わされ、該装飾レイヤーと補助レイヤーとの間に前記画像が介装されるように構成されている請求項３記載の画像処理装置。
【請求項５】
原レイヤーの図柄領域に対して所定形状の領域を抜き出し可能に構成されており、前記図柄領域内の任意の二箇所を指示することで、該指示に基づいて抜き出される領域のサイズを設定できるように構成されている請求項３又は４記載の画像処理装置。
【発明の詳細な説明】
【技術分野】
【０００１】
本発明は、写真フィルムから読み込んだ画像やデジタルカメラで撮影した画像を装飾する装飾レイヤーを備えたテンプレートの作成方法、及びテンプレートを作成可能な画像処理装置に関する。
【背景技術】
【０００２】
従来から、写真フィルムに形成された画像やデジタルカメラで撮影した画像に種々の画像処理を施し、画像を好適な状態にする画像処理装置が周知である。
【０００３】
かかる画像処理装置は、演算や各種処理の主体となるＣＰＵや、各種処理を実行させるソフトウェア等を記憶させたＲＯＭ、内部処理用のワークエリアに使用されたり、処理済みの画像を記憶させたりするＲＡＭ等を備えている。
【０００４】
該画像処理装置は、写真フィルムやメディアから読み込んだ画像に色補正等を加えることができる他に、該画像に装飾を施すことができるようになっている。具体的には、該画像処理装置は、読み込んだ画像に装飾を施すためのテンプレートを作成できるように構成されると共に、前記画像との合成画像を作成すべく、作成したテンプレートを画像データとしてＲＡＭに記憶させるように構成されている。
【０００５】
前記テンプレートは、図５（イ）に示す如く、装飾図柄１００が施された装飾領域１０１と、読み込んだ画像を嵌め込む嵌込領域１０２とで構成された装飾レイヤーを少なくとも備えている。即ち、テンプレートには、種々のものがあるが、何れにおいても装飾レイヤーを備えており、その装飾レイヤーのみがテンプレートになったものや、装飾レイヤー上に別の図柄を有するレイヤーを重ね合わせて、画像に対する装飾性を向上させるようにしたもの等がある。何れのテンプレートにおいても、装飾レイヤーは画像処理装置によって作成されており、装飾レイヤーの基になる原レイヤーにおける装飾図柄の施された図柄領域内に少なくとも一つ以上の領域を指定することで、該領域から装飾図柄が抜き出されて透明な前記嵌込領域１０２が形成されると共に、残存する図柄領域で前記装飾領域１０１が形成されることで作成される。
【０００６】
そして、テンプレート及び画像は、装飾レイヤーの下側に（装飾用の図柄の裏側）に読み込んだ画像をレイヤーとして配置することにより合成される。即ち、該画像処理装置は、装飾レイヤーと画像とを重ね合わせることで、平面視において画像が装飾レイヤーの嵌込領域１０２に嵌め込まれて装飾領域１０１で装飾された態様となり、これを一枚の合成画像として取り扱うようになっている。
【０００７】
上記構成の画像処理装置で各種処理が施された合成画像は、画像データとして画像処理装置から直接的又は間接的にプリンタに送られ、ペーパー等の媒体上に形成されて出力されることになる。なお、プリンタには、ペーパーにインクを塗布して画像をプリント出力するインクジェット式プリンタや、感光材料に露光処理及び現像処理を施して画像をプリント出力する露光・現像装置等が採用される。
【発明の開示】
【発明が解決しようとする課題】
【０００８】
ところで、テンプレートの装飾レイヤーには、前記嵌込領域１０２が複数箇所に設定される場合があり、画像とテンプレートとを合成して合成画像を作成するにあたり、例えば、図５（ロ）に示す如く、装飾レイヤーの嵌込領域１０２の全てに画像１０３を嵌め込まない場合がある。このような場合、画像１０３が嵌め込まれていない嵌込領域１０２をそのままにしておくと、何ら画像１０３のない領域（空白の領域）１０４ａが存在するものとなって商品としての価値を喪失してしまうといった問題がある。そのため、その嵌込領域１０２（空白の領域１０４ａ）内にダミーの画像を嵌め込んで体裁を整えなければならないといった問題があった。
【０００９】
また、画像１０３のサイズが装飾レイヤーの嵌込領域１０２よりも小さい場合には、装飾レイヤーの装飾領域１０１（装飾図柄１００）と画像１０３との間に空白の領域１０４ｂが残ってしまい、好適な合成画像を得ることができない場合があった。そのため、この場合においても、空白の領域１０４ｂを塞ぐためのダミーの画像を作成した上で、該空白の領域１０４ｂに埋め込んで合成画像の体裁を整えなければならなかった。
【００１０】
特に、装飾領域１０１の装飾図柄１００に複雑な模様等が施されている場合には、装飾レイヤーの装飾領域１０１（装飾図柄１００）との連続性を担保すべく、ダミーの画像を空白の領域１０４ａ，１０４ｂに対応した形状に切り出す作業や、装飾レイヤーの装飾図柄１００に対する位置合わせを行う作業が必要であり繁雑であった。
【００１１】
そこで、本発明は、斯かる実情に鑑み、煩雑な作業を要することなく、画像とこれを装飾する図柄とが一体的で且つ体裁の良い合成画像となるテンプレートを作成することができるテンプレートの作成方法及び画像処理装置を提供することを課題とする。
【課題を解決するための手段】
【００１２】
本発明にかかるテンプレートの作成方法は、画像を嵌め込む嵌込領域と、前記画像を装飾する装飾領域とで構成された装飾レイヤーを少なくとも備えたテンプレートの作成方法であって、装飾レイヤーの基となる原レイヤーにおける装飾図柄の施された図柄領域内に少なくとも一つ以上の領域を指定することで、該領域から装飾図柄を抜き出して透明な前記嵌込領域を形成し、且つ残存する図柄領域で前記装飾領域を形成して装飾レイヤーを作成すると共に、前記原レイヤーに対して指定した領域の情報に基づいて、嵌込領域に対応し、且つ装飾レイヤーの装飾領域と連続性のある装飾図柄を有する隠蔽領域を形成した補助レイヤーを作成するようにしたことを特徴とする。なお、「画像を嵌め込む」とは、嵌込領域に実際に嵌め込むことは勿論のこと、装飾レイヤーと画像とを重ね合わせた状態で、平面視において嵌め込まれたように視認できる状態を意味するものであり、「図柄」とは、各種模様等の図柄は勿論のこと、単色のものも含む概念である。また、「嵌込領域に対応」とは、嵌込領域の形状、サイズ及び配置が一致することを意味するものである。
【００１３】
上記テンプレートの作成方法によれば、原レイヤーに対して領域を指定することで、嵌込領域及び装飾領域で構成された装飾レイヤーを作成すると共に、原レイヤーに対して指定した領域の情報に基づいて、嵌込領域に対応し、且つ装飾レイヤーの装飾領域（装飾図柄）と連続性のある装飾図柄を有する隠蔽領域を形成した補助レイヤーを作成するようにしているので、作成されたテンプレートにおいて、装飾レイヤーの嵌込領域内に画像が存在しなくても、装飾レイヤーと補助レイヤーとを重ね合わせるだけで、平面視で嵌込領域に隠蔽領域が嵌め込まれた態様（空白の領域を隠蔽した態様）となり、空白の領域が形成されるのを防止することができる。
【００１４】
従って、嵌込領域よりも小さな画像を嵌込領域に嵌め込んでも、装飾レイヤーと補助レイヤーとを重ね合わせた状態における平面視において、補助レイヤーの隠蔽領域が、画像と装飾レイヤーの装飾領域（装飾図柄）との間を隠蔽した（埋めた）態様となり、画像と装飾図柄とが一体的になった合成画像を得ることができる。
【００１５】
また、嵌込領域を複数箇所に設定し、何れかの嵌込領域に画像を配置した場合においても、平面視において画像が配置されていない嵌込領域内には、補助レイヤーの隠蔽領域が存在した（埋め込まれた）態様となり、空白の嵌込領域が隠蔽された合成画像を得ることができる。
【００１６】
この場合、装飾レイヤーと補助レイヤーとを重ね合わせ、装飾レイヤーと補助レイヤーとの間に前記画像を介装するようにしてもよい。このようにすれば、画像のサイズが嵌込領域よりも大きい場合であっても、嵌込領域の形状を崩すことなく、嵌込領域から画像を露呈させる状態にすることができる。
【００１７】
本発明に係る画像処理装置は、画像を嵌め込む嵌込領域と、前記画像を装飾する装飾領域とで構成された装飾レイヤーを少なくとも備えたテンプレートを作成可能に構成された画像処理装置において、装飾図柄の施された図柄領域を備えて装飾レイヤーの基となる原レイヤーが少なくとも一つ以上設定され、該原レイヤーにおける装飾図柄の施された図柄領域内に少なくとも一つ以上の領域を指定することで、該領域から装飾図柄が抜き出されて透明な前記嵌込領域が形成され、且つ残存する図柄領域で前記装飾領域が形成されて該原レイヤーで装飾レイヤーが作成されると共に、前記原レイヤーに対して指定した領域の情報に基づいて、前記嵌込領域に対応し、且つ装飾レイヤーの装飾領域と連続性を有する装飾図柄を有する隠蔽領域が形成された補助レイヤーが作成されるようにしたことを特徴とする。なお、「画像を嵌め込む」とは、嵌込領域に実際に嵌め込むことは勿論のこと、装飾レイヤーと画像とを重ね合わせた状態で、平面視において嵌め込まれたように視認できる状態を意味するものであり、「図柄」とは、各種模様等の図柄は勿論のこと、単色のものも含む概念である。また、「嵌込領域に対応」とは、嵌込領域の形状、サイズ及び配置が一致することを意味するものである。
【００１８】
上記構成の画像処理装置によれば、原レイヤーに対して領域を指定することで、嵌込領域及び装飾領域で構成された装飾レイヤーが作成されると共に、原レイヤーに対して指定した領域の情報に基づいて、嵌込領域に対応し、且つ装飾レイヤーの装飾領域（装飾図柄）と連続性のある装飾図柄を有する隠蔽領域が形成された補助レイヤーが作成されるので、作成されたテンプレートにおいて、装飾レイヤーの嵌込領域内に画像が存在しなくても、装飾レイヤーと補助レイヤーとを重ね合わせるだけで、平面視で嵌込領域に隠蔽領域が嵌め込まれた態様（空白の領域を隠蔽した態様）となり、空白の領域が形成されるのを防止することができる。
【００１９】
従って、嵌込領域よりも小さな画像を嵌込領域に嵌め込んでも、装飾レイヤーと補助レイヤーとを重ね合わせた状態における平面視において、補助レイヤーの隠蔽領域が、画像と装飾レイヤーの装飾領域（装飾図柄）との間を隠蔽した（埋めた）態様となり、画像と装飾図柄とが一体的になった合成画像を得ることができる。
【００２０】
また、嵌込領域を複数箇所に設定し、何れかの嵌込領域に画像を配置した場合においても、平面視において画像が配置されていない嵌込領域内には、補助レイヤーの隠蔽領域が存在した（埋め込まれた）態様となり、空白の嵌込領域が隠蔽された合成画像を得ることができる。その上、隠蔽領域が装飾レイヤーの嵌込領域に対応しているので、補助レイヤーの他の領域を透明の画像として設定すればデータ量を小さくすることができる。
【００２１】
この場合、装飾レイヤーと補助レイヤーが重ね合わされ、該装飾レイヤーと補助レイヤーとの間に前記画像が介装されるように構成されてもよい。このようにすれば、画像のサイズが嵌込領域よりも大きい場合であっても、嵌込領域の形状を崩すことなく、嵌込領域から画像を露呈させた装飾済みの合成画像を得ることができる。
【００２２】
さらに、原レイヤーの図柄領域に対して所定形状の領域を抜き出し可能に構成されており、前記図柄領域内の任意の二箇所を指示することで、該指示に基づいて抜き出される領域のサイズを設定できるように構成されてもよい。このようにすれば、複雑な作業を要することなく、所望する嵌込領域を備えた装飾レイヤーを作成することができる。
【発明の効果】
【００２３】
本発明のテンプレートの作成方法によれば、煩雑な作業を要することなく、画像とこれを装飾する図柄とが一体的で且つ体裁の良い合成画像となるテンプレートを作成することができるという優れた効果を奏し得る。
【００２４】
本発明の画像処理装置によれば、煩雑な作業を要することなく、画像とこれを装飾する図柄とが一体的で且つ体裁の良い合成画像となるテンプレートを作成することができるという優れた効果を奏し得る。
【発明を実施するための最良の形態】
【００２５】
以下、本発明に係るテンプレートの作成方法及び画像処理装置の一実施形態について、添付図面を参照しつつ説明する。
【００２６】
本実施形態に係るテンプレートの作成方法は、写真フィルムに形成されたコマ画像やデジタルカメラで撮影された画像に対して画像処理を施す画像処理装置に採用されており、前記テンプレートの作成方法の説明に先立って該画像処理装置について説明することとする。
【００２７】
前記画像処理装置は、図１に示す如く、写真フィルムＦに形成された画像を読み込むフィルムスキャナ１と、各種メディアに対してデータを読み書きするメディアドライブ２ａ，２ｂと、各種処理を実行させる制御部３と、各種操作に関する情報やメディアドライブ２ａ，２ｂ又はフィルムスキャナ１から読み込んだ画像を表示するためのモニタ４と、当該画像処理装置に各種処理を実行させるための入力手段５とを備えている。
【００２８】
前記制御部３は、パーソナルコンピュータ（パソコン）の演算処理装置により構成されており、演算や各種処理の主体となるＣＰＵ（図示しない）と、読み込んだ画像を装飾するためのテンプレートの作成をはじめとして、読み込んだ画像に対する画像処理（色や明度等の補正や装飾）等の各種処理を実現させるソフトウェアが記憶されたＲＯＭ（図示しない）と、内部処理用のワークエリアや、作成した画像を記憶する領域等として使用されるＲＡＭ（図示しない）等を備えており、これらはメイン基板（図示しない）上に電気的に配置されている。
【００２９】
本実施形態において、前記メディアドライブ２ａ，２ｂは、前記パソコンに搭載されたＣＤ−Ｒ／ＲＷやＤＶＤ−Ｒ／ＲＷ、ＤＶＤ−ＲＡＭ等のメディアに対して情報を読み書きするメディアドライブ２ａと、ケーブル（図示しない）を介して前記パソコン（制御部３）に接続され、前記パソコンのメディアドライブ２ａで対応することのできないメディア（例えば、コンパクトフラッシュメモリ、ＰＣカード、ＳＤカード等）に対してデータを読み書きする外付けのメディアドライブ２ｂとで構成されている。
【００３０】
前記入力手段５には、キーボード５ａやマウス５ｂが採用されている。該入力手段５（キーボード５ａ、マウス５ｂ）やメディアドライブ２ａ，２ｂ、モニタ４等は、Ｉ／Ｏインターフェイス（図示しない）を介して前記制御部３に接続されている。
【００３１】
次に、ＲＯＭに記憶させたソフトウェアのうちテンプレートの作成方法にかかる部分について説明する。
【００３２】
かかるソフトウェアは、画像を嵌め込む嵌込領域と、前記画像を装飾する装飾領域とで構成された装飾レイヤーを備えたテンプレートを作成できるように構成されている。該ソフトウェアは、図２（イ）に示す如く、装飾用の図柄（装飾図柄）１０が施された図柄領域１１を備えて前記装飾レイヤーの基になる原レイヤー１２が画像データとして複数種類設定されている。各原レイヤー１２は、フィルムスキャナ１又はメディアドライブ２ａ，２ｂを介して読み込んだ画像１４を嵌め込むための領域１３（後述する装飾レイヤーの嵌込領域にする領域）を設定できるようになっている。
【００３３】
具体的には、図２（ロ）に示す如く、モニタ４に表示された原レイヤー１２に対して入力手段５（特には、マウス５ｂ）で画像１４を嵌め込むための領域１３を設定できるようになっている。本実施形態においては、指定できる領域が矩形状に限定されており、モニタ４に表示された原レイヤー１２の図柄領域１１内をマウス５ｂで二箇所を指示（ドラッグアンドドロップ）することで、該二箇所が指定する領域の対角位置として認識され、当該領域の配置及びサイズを設定できるようになっている。
【００３４】
このように原レイヤー１２に対して領域１３を設定することで、図２（ハ）に示す如く、その領域１３から装飾図柄１０が抜き出され、当該領域１３で透明な領域（透明な画像）として嵌込領域１３’が形成され、残存する装飾図柄１０（図柄領域１１）で画像１４を装飾するための装飾領域１５が形成され、該原レイヤー１２で装飾レイヤーＴａが作成されるようになっている。即ち、原レイヤー１２から指定した領域１３を抜き出して透明化させることで、該領域１３を画像１４が露呈させる嵌込領域１３’として機能させ、該原レイヤー１２で装飾レイヤーＴａが作成されるようになっている。
【００３５】
さらに、上述の如く、原レイヤー１２の図柄領域１１内において、抜き出す領域１３を設定することで、該原レイヤー１２に対して指定した領域１３（抜き出される領域１３）に関する情報を基に、該領域１３に対応して装飾レイヤーＴａの装飾領域１５と連続性のある装飾図柄を有する隠蔽領域１６が形成されたレイヤーＴｂ（以下、補助レイヤーという）が作成されるようになっている。これにより、装飾レイヤーＴａ及び補助レイヤーＴｂは、互いに重ね合わせた状態で、平面視において嵌込領域１３’に隠蔽領域１６が嵌め合わされて原レイヤー１２のような形態となるようになっている。
【００３６】
即ち、ソフトウェアは、原レイヤー１２に対して設定した領域１３のサイズ、配置、模様、形状等の情報を基に、その領域１３に対応した隠蔽領域１６を作成した上で、該隠蔽領域１６を一構成として備えた補助レイヤーＴｂを装飾レイヤーＴａに対して重ね合わせた態様で作成し、装飾レイヤーＴａと補助レイヤーＴｂとで平面視において一枚の画像（原レイヤー１２）のような態様をなすようになっている。
【００３７】
そして、本実施形態に係るソフトウェアは、装飾レイヤーＴａと補助レイヤーＴｂとの間に、読み込んだ画像１４が嵌込領域１３’に対応した配置で介装されるようにもなっている。なお、本実施形態に係るソフトウェアは、読み込んだ画像１４の必要な領域を嵌込領域１３’から露呈させることができるように、該画像１４のサイズを変更（拡縮）できるようにもなっている。
【００３８】
本実施形態に係る画像処理装置は、以上の構成からなり、次に、当該画像処理装置でのテンプレートの作成乃至合成画像の作成について説明する。
【００３９】
図３に示す如く、まず、予め用意（設定）された複数の原レイヤー１２の中から、所望する装飾図柄１０の原レイヤー１２を選択する（Ｓ１０）。そうすると、選択された原レイヤー１２がモニタ４に表示され（Ｓ２０）、その表示に基づいて原レイヤー１２の図柄領域１１内に画像１４を嵌め込むための領域１３を設定する（Ｓ３０）。
【００４０】
この領域（抜き出す領域）１３の設定は、キーボード５ａからの座標入力により行うこともできるが、通常は、マウス５ｂによる座標指示（モニタ４上の所望する位置の選択や選択位置のドラッグアンドドロップ等）により行われる。具体的には、本実施形態においては、原レイヤー１２から抜き出す領域１３が矩形状に限定されているので、マウス５ｂによってモニタ４上の所望する位置でドラッグアンドドロップすることで、ドラッグ位置とドロップ位置とが対角の座標として認識されて矩形状の領域が所望するサイズに設定されることになる。
【００４１】
そして、指定された領域１３内が透明化（装飾図柄１０を抜き出して透明な画像に変換）された後（Ｓ４０）、該領域１３を嵌込領域１３’に設定すると共に、残存する図柄領域１１を装飾領域１５に設定する（Ｓ５０）。これにより、嵌込領域１３’のサイズ及び配置が決定されることになり、当該原レイヤー１２が装飾レイヤーＴａとして設定される（Ｓ６０）。
【００４２】
そして、上述の如く、原レイヤー１２に対して領域１３を設定すると同時或いはその後に、原レイヤー１２に対して指定した領域１３の情報に基づき、嵌込領域１３’（原レイヤー１２に設定した領域）に対応した配置、形状、サイズで、且つ装飾レイヤーＴａの画像１４に対して平面視で連続性のある装飾図柄１０の隠蔽領域１６が作成された後（Ｓ７０）、その隠蔽領域１６を一構成として備えた補助レイヤーＴｂが作成されることになる（Ｓ８０）。なお、本実施形態において、補助レイヤーＴｂは、外郭が装飾レイヤーＴａの外郭と同一に設定されておりＲＡＭに記憶させるデータ量を極力小さくすべく、補助レイヤーＴｂは、隠蔽領域１６以外の領域が透明（透明の画像）となっている。
【００４３】
そして、外郭同士を一致させて装飾レイヤーＴａと補助レイヤーＴｂが重ね合わされた後（Ｓ９０）、該装飾レイヤーＴａ及び補助レイヤーＴｂが一組のテンプレートとしてＲＡＭに記憶される（Ｓ１００）。この状態でテンプレートは、装飾レイヤーＴａの嵌込領域１３’と補助レイヤーＴｂの隠蔽領域１６とが平面視においてぴったりと嵌め合わされた態様になるようになっている。
【００４４】
次に、メディアドライブ２ａ，２ｂ又はフィルムスキャナ１で読み込んだ画像１４に対し、色補正や明度補正等を適宜施し、該補正後の画像１４を適宜サイズに拡縮させ、装飾レイヤーＴａの嵌込領域１３’に対応するように配置する。本実施形態において、装飾レイヤーＴａと補助レイヤーＴｂとの間であって、装飾レイヤーＴａの嵌込領域１３’に対応した位置に補正後の画像１４を配置する。
【００４５】
そうすると、図４（イ）及び図４（ロ）に示す如く、概念的な平面視において装飾レイヤーＴａの嵌込領域１３’から補正後の画像１４が露呈することになる。仮に画像１４が嵌込領域１３’よりも小さい場合であっても、図４（イ）に示す如く、平面視において該画像１４と装飾レイヤーＴａの装飾図柄１０との間に形成される隙間領域が、補助レイヤーＴｂの隠蔽領域１６の装飾図柄で埋められた態様（平面視において装飾レイヤーＴａ（装飾領域１５）と画像１４との間に形成される空白の領域が隠蔽領域１６で隠蔽された態様）となり、概念的な平面視において装飾レイヤーＴａ（装飾領域１５）、補助レイヤーＴｂ（隠蔽領域１６）及び画像１４が一体的になった装飾画像（合成画像Ｐ）が得られることになる。
【００４６】
その一方で、画像１４が嵌込領域１３’よりも大きい場合は、図４（ロ）に示す如く、平面視において該画像１４の外周縁部が装飾レイヤーＴａの装飾領域１５（装飾図柄１０）に覆い隠された状態となり、補助レイヤーＴｂの隠蔽領域１６が画像１４に対する下層として位置し、平面視において装飾レイヤーＴａと画像１４とが一体的になった装飾画像（合成画像Ｐ）が得られることになる。
【００４７】
また、図４（イ）及び図４（ロ）に示す如く、複数の嵌込領域１３’が設定された装飾レイヤーＴａを選択し、該装飾レイヤーＴａの全ての嵌込領域１３’に画像１４を配置しなくても、上述の如く、補助レイヤーＴｂには装飾レイヤーＴａの嵌込領域１３’に対応した隠蔽領域１６が設定されているので、画像１４の存在しない嵌込領域１３’は補助レイヤーＴｂの隠蔽領域１６によって埋められ、空白の領域が隠蔽された態様となる。これにより、画像１４が嵌め込まれていない（配置されていない）嵌込領域１３’が存在しても、その部分に装飾レイヤーＴａの装飾図柄１０と連続した装飾図柄１０（隠蔽領域１６）が埋め込まれ、空白の領域のない合成画像Ｐを得ることができる。なお、図４（イ）及び図４（ロ）において、嵌込領域１３’の外郭（装飾領域１５と隠蔽領域１６との境界）を仮想的に二点鎖線で示しているが、実際の合成画像には、このような境界（線）は表現されることはなく、装飾領域１１の装飾図柄１０と隠蔽領域１６の装飾図柄１０とが連続的になって境界を視認できない状態になる。
【００４８】
そして、装飾済みの合成画像Ｐは、画像データとしてメディアに記憶されるか、或いは、画像処理装置に電気的に接続されたプリンタ（例えば、ペーパーにインクを吹き付けてプリント出力するインクジェット式プリンタや、感光材料に対して露光処理及び現像処理を行ってプリント出力する露光・現像装置）に送られ、媒体（ペーパーや感光材料）を介して出力されることになる。
【００４９】
従って、このように出力されたプリントは、装飾レイヤーＴａ及び補助レイヤーＴｂの装飾図柄１０と読み込んだ画像１４とが一体的になった付加価値の高いものになる。
【００５０】
以上のように、本実施形態に係る画像処理装置（実際にはテンプレートの作成方法を実現させるソフトウェア）は、装飾レイヤーＴａを作成するに際し、原レイヤー１２に画像１４を嵌め込むための領域１３を設定することで、該領域１３内を透明（実際には透明な画像）にして嵌込領域１３’に設定し、残存する図柄領域１１を装飾領域１５に設定して該原レイヤー１２で装飾レイヤーＴａを作成すると共に、原レイヤー１２に設定した抜き出し領域（嵌込領域１３’）に対応した隠蔽領域１６を備えた補助レイヤーＴｂを作成し、装飾レイヤーＴａ及び補助レイヤーＴｂでテンプレートを構成するようになっているので、嵌込領域１３’に対応させるべく、画像１４の拡縮や回転、移動等の複雑で煩雑な作業を行うことなく、画像１４と装飾図柄１０（背景）とが一体的になった装飾済みの合成画像Ｐを得ることができる。
【００５１】
また、重ね合わされた装飾レイヤーＴａと補助レイヤーＴｂとの間に装飾される画像１４が介装されるように構成されているので、画像１４のサイズが嵌込領域１３’よりも大きい場合であっても、嵌込領域１３’の形状を崩すことなく、嵌込領域１３’から画像１４を露呈させた装飾済みの合成画像Ｐを得ることができる。
【００５２】
さらに、原レイヤー１２の図柄領域１１に対して所定形状（本実施形態においては矩形状）の領域１３を抜き出し可能に構成され、前記図柄領域１１内の任意の二箇所を指示することで、該指示に基づいて抜き出される領域１３のサイズを変更（設定）できるように構成されているので、複雑な作業を要することなく、所望する嵌込領域１３’を備えた装飾レイヤーＴａを作成することができる。
【００５３】
尚、本発明のテンプレートの作成方法及び画像処理装置は、上記実施形態に限定されるものではなく、本発明の要旨を逸脱しない範囲内において種々変更を加え得ることは勿論である。
【００５４】
上記実施形態において、補助レイヤーＴｂを装飾レイヤーＴａの外郭に対応したサイズに設定すると共に、隠蔽領域１６以外の領域を透明な画像としてデータの容量を小さくするようにしたが、これに限定されるものではなく、例えば、補助レイヤーＴｂにおける透明な画像の領域を隠蔽領域１６と連続した装飾図柄或いは実体のある図柄（画像）にしても勿論よい。
【００５５】
上記実施形態において、装飾レイヤーＴａと補助レイヤーＴｂとの間に画像１４を介装するようにしたが、これに限定されるものではなく、例えば、画像１４が嵌込領域１３’よりも小さい場合、装飾レイヤーＴａ上に画像１４を配置するようにしても勿論よい。このようにしても、平面視において画像１４が装飾レイヤーＴａ及び補助レイヤーＴｂの装飾図柄１０と一体化した合成画像Ｐを得ることができる。
【００５６】
上記実施形態において、原レイヤー１２に対して指定する領域１３を矩形状に設定し、該原レイヤー１２上の二箇所を指示することで、矩形状の領域１３のサイズを変更できるようにしたが、これに限定されるものではなく、例えば、原レイヤー１２に対して指定する領域１３を円形や、多角形、星形、ハート形等の種々の形状に予め設定しておき、原レイヤー１２に対して二箇所を設定することで、その領域１３を相似的にサイズを変更させるようにしてもよい。
【００５７】
上記実施形態において、原レイヤー１２に対して画像１４を嵌め込むための領域１３を矩形状に設定したが、これに限定されるものではなく、例えば、嵌込領域１３’を多角形状や星形、ハート形等の種々の形状に設定できるようにしてもよい。この場合、マウス５ｂによって嵌込領域１３’を画定させる境界上の点（座標）を適当な間隔を有して順次選択することで、選択された各点同士を滑らかに結ぶように処理して嵌込領域１３’と装飾図柄１０を残した装飾領域１５との境界が設定されるように構成し、該境界内が透明な嵌込領域１３’に設定されるようにしてもよい。そして、嵌込領域１３’に対応した隠蔽領域１６を備えた補助レイヤーＴｂを作成するようにすれば、上記実施形態と同様の作用及び効果を奏することができる上に、所望する態様（レイアウトや形状等）の装飾レイヤーＴａを作成することができる。
【００５８】
上記実施形態において、画像処理装置単体のものについて説明したが、これに限定されるものではなく、例えば、画像処理装置とプリンタとを一体的に構成した写真処理装置であっても勿論よい。この場合、プリンタとしては、前記インクジェット式プリンタや、露光・現像処理装置等を採用することができる。
【００５９】
また、上記実施形態において、画像に対して各種処理のみを行う画像処理装置について説明したが、例えば、画像処理装置に顧客からオーダーを受け付ける機能を付加したもの、即ち、オーダー受付機であっても勿論よい。
【００６０】
上記実施形態において、装飾レイヤーＴａ及び補助レイヤーＴｂでテンプレートを構成するようにしたが、これに限定されるものではなく、例えば、装飾レイヤーＴａ上に文字情報を付加すべく、装飾レイヤーＴａ及び補助レイヤーＴｂに加えて、装飾レイヤーＴａ上に文字レイヤーを重ね合わせたテンプレートや、装飾レイヤーＴａ上に別の図柄を施すべく、装飾レイヤーＴａ上に別のレイヤーを重ね合わせたテンプレートであっても勿論よい。但し、装飾レイヤーＴａ上に重ね合わされるレイヤーは、嵌込領域１３’から画像１４が露呈するように、少なくとも嵌込領域１３’に対応する領域が透明に設定されていることは勿論のことである。
【図面の簡単な説明】
【００６１】
【図１】本発明の一実施形態に係る画像処理装置の全体正面図を示す。
【図２】同実施形態に係る画像処理装置で装飾レイヤーを作成する際の状態概念図であって、（イ）は、装飾レイヤーを作成するための原レイヤーの概念図を示し、（ロ）は、原レイヤーに画像を嵌め込む領域を設定する際の概念図を示し、（ハ）は、原レイヤーから作成されたテンプレート（装飾レイヤー及び補助レイヤー）の概念図を示す。
【図３】同実施形態に係る画像処理装置で装飾レイヤーを作成する際のフロー図を示す。
【図４】同実施形態に係る画像処理装置で作成された合成画像であって、（イ）は、装飾レイヤーの一つの嵌込領域に、該嵌込領域よりも小さな画像を嵌め込むと共に他の嵌込領域に画像が嵌め込まれていない合成画像の概念図を示し、（ロ）は、装飾レイヤーの一つの嵌込領域に、該嵌込領域よりも小さな画像を嵌め込むと共に他の嵌込領域に画像が嵌め込まれていない合成画像の概念図を示す。
【図５】従来の装飾レイヤーと画像とを合成した合成画像の概念図を示す。
【符号の説明】
【００６２】
１…フィルムスキャナ、２ａ，２ｂ…メディアドライブ、３…制御部、４…モニタ、５…入力手段、５ａ…キーボード、５ｂ…マウス、１０…装飾図柄、１１…図柄領域、１２…原レイヤー、１３’…嵌込領域、１３…領域、１４…画像、１５…装飾領域、１６…隠蔽領域、Ｆ…写真フィルム、Ｐ…合成画像、Ｔａ…装飾レイヤー、Ｔｂ…補助レイヤー
【図１】
2006107327.tif 000003
【図２】
2006107327.tif 000004
【図３】
2006107327.tif 000005
【図４】
2006107327.tif 000006
【図５】
2006107327.tif 000007